(57)【要約】【課題】平地と傾斜地のいずれにおいても使用可能な組立式椅子を提供する。【解決手段】組立式椅子１は、板状体を組み立てることで構成される。組立式椅子１は、着座可能な座面部１０と、座面部１０を支持する側部３０と、を備える。側部３０は、地面に当接する下端が前後方向に傾斜するように折り曲げ可能な折曲げ部４１を有する。  側部３０は、前方に配される第１側板３１と、後方に配される第２側板３２と、左右に配される第３側板３３及び第４側板３４と、を有する。折曲げ部４１は、第２側板３２、第３側板３３及び第４側板３４に形成される。【選択図】図１
2019083889.tif 000002
【特許請求の範囲】
【請求項１】
板状体を組み立てることで構成される組立式椅子であって、
着座可能な座面部と、
前記座面部を支持する側部と、を備え、
前記側部は、地面に当接する下端が前後方向に傾斜するように折り曲げ可能な折曲げ部を有することを特徴とする組立式椅子。
【請求項２】
前記側部は、
前方に配される第１側板と、
後方に配される第２側板と、
左右に配される第３側板及び第４側板と、を有し、
前記折曲げ部は、前記第２側板、前記第３側板及び前記第４側板に形成されることを特徴とする請求項１に記載の組立式椅子。
【請求項３】
前記座面部は、
最上部に配される第１天板と、
前記第１天板の下方に配され、前記第１天板の一部を支持する第２天板と、を有することを特徴とする請求項２に記載の組立式椅子。
【請求項４】
前記第２天板は、前記座面部のうち前記第２側板に近い後方側に設けられることを特徴とする請求項３に記載の組立式椅子。
【請求項５】
前記第２天板は、先端に形成される第１切欠き部を有し、
前記第３側板と前記第４側板はそれぞれ、
前後方向の中央部において、上下方向に形成された第１リード罫と、
前記第１リード罫の上端に形成された第２切欠き部と、を有し、
前記第１切欠き部と前記第２切欠き部とが係合して、前記第２天板が前記第３側板と前記第４側板に対して組み付けられることを特徴とする請求項４に記載の組立式椅子。
【請求項６】
少なくとも前記折曲げ部より下方において、前記第２側板及び前記第３側板と、前記第２側板及び前記第４側板とのそれぞれの間に形成される第２リード罫を有し、
前記第１リード罫と前記第２リード罫はそれぞれ破断可能であることを特徴とする請求項５に記載の組立式椅子。
【請求項７】
前記第２天板と前記第２側板との間に形成された穴部を備え、
前記第１天板は、前記穴部に挿通される差込部を有することを特徴とする請求項５又は６に記載の組立式椅子。
【請求項８】
前記折曲げ部を折り曲げない状態において、前記側部の上端と下端は平行であることを特徴とする請求項１乃至７のいずれかに記載の組立式椅子。
【請求項９】
前記板状体は、一枚の紙製部材からなることを特徴とする請求項１乃至８のいずれかに記載の組立式椅子。
【発明の詳細な説明】
【技術分野】
【０００１】
本発明は、組立式椅子に関する。
【背景技術】
【０００２】
組立、分解が可能な段ボール製の組立式椅子が知られている。例えば、特許文献１には、一枚の段ボールに罫線、切込み等の加工を施して作成される組立式椅子が記載されている。なお、こうした段ボール製の組立式椅子は、軽量であるため、野外のイベント等での使用に適している。
【先行技術文献】
【特許文献】
【０００３】
【特許文献１】実用新案登録第３０７５２３６号公報
【発明の概要】
【発明が解決しようとする課題】
【０００４】
ところで、野外のイベント会場によっては、観客席が平地であったり、傾斜地であったりすることがある。
一方で、上記の従来技術に係る組立式椅子は、平地に設置されることを想定しており、傾斜地においては椅子自体が傾いてしまい使用することが困難である。
【０００５】
本発明は、上記の課題に鑑みてなされたものであり、本発明の目的は、平地と傾斜地のいずれにおいても使用可能な組立式椅子を提供することにある。
【課題を解決するための手段】
【０００６】
上記課題は、本発明に係る組立式椅子によれば、板状体を組み立てることで構成される組立式椅子であって、着座可能な座面部と、前記座面部を支持する側部と、を備え、前記側部は、地面に当接する下端が前後方向に傾斜するように折り曲げ可能な折曲げ部を有することにより解決される。
上記の組立式椅子は、平地と傾斜地のいずれにおいても座面が水平に近づくように変形可能である。すなわち、本発明によれば、平地と傾斜地のいずれにおいても使用可能な組立式椅子を実現できる。
【０００７】
上記の組立式椅子において、前記側部は、前方に配される第１側板と、後方に配される第２側板と、左右に配される第３側板及び第４側板と、を有し、前記折曲げ部は、前記第２側板、前記第３側板及び前記第４側板に形成されると好適である。
こうすることで、組立式椅子を傾斜地で利用する場合に、座面から地面への高さを確保することができる。これにより、傾斜地における座りやすさを確保できる。
【０００８】
上記の組立式椅子において、前記座面部は、最上部に配される第１天板と、前記第１天板の下方に配され、前記第１天板の一部を支持する第２天板と、を有すると好適である。
こうすることで、座面部の一部を二重構造とすることができる。これにより、座面部の強度を向上できる。
【０００９】
上記の組立式椅子において、前記第２天板は、前記座面部のうち前記第２側板に近い後方側に設けられると好適である。
こうすることで、座面部のうち着座者の臀部を支持する後方側の強度を向上できる。これにより、座面部のうち荷重が掛かる部分の強度を向上できる。
また、上記の構成によれば、座面部の撓みを抑制できるため、長時間の着座においても疲労しにくくなる。また、座面部の変形を抑制できるため、着座感も良好になる。
【００１０】
上記の組立式椅子において、前記第２天板は、先端に形成される第１切欠き部を有し、前記第３側板と前記第４側板はそれぞれ、前後方向の中央部において、上下方向に形成された第１リード罫と、前記第１リード罫の上端に形成された第２切欠き部と、を有し、前記第１切欠き部と前記第２切欠き部とが係合して、前記第２天板が前記第３側板と前記第４側板に対して組み付けられると好適である。
こうすることで、側部が座面部の左右の端部のみを支持する場合に比べて、座面部のより広い範囲を側部により支持できる。これにより、組立式椅子の耐荷重性能を向上できる。
【００１１】
上記の組立式椅子において、少なくとも前記折曲げ部より下方において、前記第２側板及び前記第３側板と、前記第２側板及び前記第４側板とのそれぞれの間に形成される第２リード罫を有し、前記第１リード罫と前記第２リード罫はそれぞれ破断可能であると好適である。
こうすることで、折曲げ部を折り曲げやすくなる。これにより、折曲げ部を折り曲げる作業の負荷を軽減できる。
【００１２】
上記の組立式椅子において、前記第２天板と前記第２側板との間に形成された穴部を備え、前記第１天板は、前記穴部に挿通される差込部を有すると好適である。
こうすることで、第１天板の位置ずれを抑制できる。これにより、座面部の安定性を向上できる。
【００１３】
上記の組立式椅子において、前記折曲げ部を折り曲げない状態において、前記側部の上端と下端は平行であると好適である。
こうすることで、平地において座面を水平とすることができる。これにより、着座者が平地において負担のない着座姿勢を取ることが可能となる。
【００１４】
上記の組立式椅子において、前記板状体は、一枚の紙製部材からなると好適である。
こうすることで、組立式椅子を軽量化できる。これにより、組立式椅子の携帯性を向上できる。
【発明の効果】
【００１５】
本発明によれば、平地と傾斜地のいずれにおいても使用可能な組立式椅子を実現できる。
【図面の簡単な説明】
【００１６】
【図１】平地設置用の組立式椅子の斜視図である。
【図２】組立式椅子の展開図である。
【図３】組立式椅子の組立工程を説明する図である。
【図４】組立式椅子の組立工程を説明する図である。
【図５】組立式椅子を平地部に設置した状態を示す側面図である。
【図６】傾斜地設置用の組立式椅子の組立工程を説明する図である。
【図７】傾斜地設置用の組立式椅子の斜視図である。
【図８】組立式椅子を傾斜部に設置した状態を示す側面図である。
【図９】変形例に係る組立式椅子の展開図である。
【発明を実施するための形態】
【００１７】
以下、本発明の一実施形態（本実施形態）に係る組立式椅子１について図１乃至図９を参照しながら説明する。
なお、以下に説明する実施形態は、本発明の理解を容易にするためのものであり、本発明を限定するものではない。すなわち、本発明は、その趣旨を逸脱することなく、変更、改良され得るとともに、本発明にはその等価物が含まれることは勿論である。
【００１８】
以下に説明する実施形態における「上下」、「前後」、「左右」の各方向は、組立式椅子１に着座する着座者から見た「上下」、「前後」、「左右」の各方向に一致することとする。具体的には、上記の「上下」、「前後」、「左右」の各方向は、斜面設置用の組立式椅子１の着座者から見た「上下」、「前後」、「左右」の各方向に一致することとし、平地設置用の組立式椅子１の着座者も同じように着座することとする。
【００１９】
＜組立式椅子１の構成＞
図１には、平地設置用の組立式椅子１の斜視図を示した。また、図２には、組立式椅子１の展開図を示した。図２に示されるように、組立式椅子１は、板状体としての一枚の紙製部材（例えば段ボール）から構成されるものである。なお、板状体とは、展開状態において板状となるものをいう。
【００２０】
図１及び図２に示されるように、組立式椅子１は、座面部１０、底部２０及び側部３０を備える。
座面部１０は、組立式椅子１に着座する着座者の臀部を支持する着座面を構成する。
底部２０は、座面部１０と対向する面をなし、組立式椅子１を地面に設置した場合に、地面と当接する。
側部３０は、座面部１０と底部２０を連結し、座面部１０を下方から支持する。また、組立式椅子１を地面に設置した場合に、側部３０の下端は地面と当接する。
以下、上記各部の詳細について説明する。
【００２１】
座面部１０は、第１天板１１及び第２天板１２を有する。
図１に示されるように、第１天板１１は、組み立てた状態で最上部に配され、着座面を構成する。また、図２に示されるように、第１天板１１は、着座面となる座面１１Ａ及び差込部１１Ｂを有する。
【００２２】
座面１１Ａは、側部３０の第１側板３１と連結し、座面１１Ａと第１側板３１の連結部分には罫線４０が形成され折り曲げ可能となっている。本実施形態では、座面１１Ａは、略正方形の形状とするがこれに限られず、長方形であっても構わない。
また、第１天板１１において第１側板３１と反対側の端部には差込部１１Ｂが形成されている。差込部１１Ｂは、組立式椅子１を組み立てた状態において、第２天板１２と第２側板３２の間に形成される穴部１５に挿通される。なお、座面１１Ａと差込部１１Ｂの境界には罫線１１Ｃが形成され、罫線１１Ｃの箇所で折り曲げ可能となっている。
【００２３】
第２天板１２は、第１天板１１の下方に配され、第１天板１１の一部を支持する。具体的には、図２に示されるように、第２天板１２は、支持面１２Ａ及び差込部１２Ｂを有する。
【００２４】
支持面１２Ａは、組み立てた状態で座面１１Ａに当接し、下方から座面１１Ａを支持する。また、支持面１２Ａは、側部３０の第２側板３２と連結し、支持面１２Ａと第２側板３２との境界には罫線４０が形成され、罫線４０において折り曲げ可能となっている。
支持面１２Ａは、座面１１Ａより小さい矩形形状をなし、座面部１０において中央よりも後方側に配される。本実施形態では、支持面１２Ａは、左右方向の長さは座面１１Ａと同じであるが、前後方向の長さが座面１１Ａよりも短い。
これにより、座面部１０の中央よりも前方に位置する前方着座部１６は第１天板１１の一枚からなるが、後方に位置する後方着座部１７は、第１天板１１と第２天板１２の二重構造となる。そのため、一枚の紙製部材（例えば段ボール）という限られた材料の中で、前方着座部１６に比べて後方着座部１７の強度を向上させることができる。
【００２５】
支持面１２Ａと第２側板３２との連結部の中央には、罫線４０に沿って形成された横長の穴部１５が形成されている。そして、組立式椅子１を組み立てた状態において、穴部１５には、第２天板１２の差込部１２Ｂが挿通される。
【００２６】
また、第１天板１１において第２側板３２と反対側の端部には差込部１２Ｂが形成されている。支持面１２Ａと差込部１２Ｂの境界には罫線１２Ｃが形成されており、罫線１２Ｃにおいて折り曲げ可能となっている。
また、差込部１２Ｂにおいて罫線１２Ｃと反対側の端部には二つの第１切欠き部１３が形成されている。組立式椅子１を組み立てた状態において、第３側板３３の第２切欠き部３３Ｂ、及び第４側板３４の第２切欠き部３４Ｂと係合するように、差込部１２Ｂの第１切欠き部１３を差し込む。これにより、支持面１２Ａを、第３側板３３と第４側板３４の上端により支持した状態で配置することができる。
【００２７】
次に、側部３０の構成について説明する。
図２に示されるように、側部３０は、第１側板３１、第２側板３２、第３側板３３及び第４側板３４を有する。
【００２８】
第１側板３１は、前側面を構成し、展開状態において第１天板１１、第１底板２１、第３側板３３及び糊代部３５と連結している。第１側板３１と、第１天板１１、第１底板２１、第３側板３３及び糊代部３５との間にはそれぞれ罫線４０が形成され、折り曲げ可能となっている。
【００２９】
第２側板３２は、後側面を構成し、展開状態において第２天板１２、第２底板２２、第３側板３３及び第４側板３４と連結している。第２側板３２と、第２天板１２、第２底板２２、第３側板３３及び第４側板３４との間にはそれぞれ罫線４０が形成され、折り曲げ可能となっている。
また、第２側板３２の下方、すなわち第２底板２２に近い側には折曲げ部４１が形成されている。この折曲げ部４１は罫線として構成されることとしてよく、折曲げ部４１において折り曲げ可能となっている。
なお、第２側板３２と第３側板３３との境界において、折曲げ部４１より下方の部分には、第２リード罫４２が形成されている。同様に、第２側板３２と第４側板３４との境界において、折曲げ部４１より下方の部分には、第２リード罫４２が形成されている。
この第２リード罫４２は、例えば１５ｍｍの切込みを５ｍｍ間隔で入れたものとしてよい。これにより、第２リード罫４２は破断可能となっている。
なお、第２側板３２において、折曲げ部４１より下方の部分は、第５折曲げ領域３６Ｅとする。そして、組立式椅子１を傾斜地に設置する場合には、第２リード罫４２が破断された後に、第５折曲げ領域３６Ｅは組立式椅子１の内側に折り畳まれる。
【００３０】
第３側板３３は、右側面を構成し、展開状態において第１側板３１及び第２側板３２と連結している。第３側板３３と、第１側板３１及び第２側板３２との境界には罫線４０が形成され、折り曲げ可能となっている。
また、第３側板３３の中央部には上下方向に第１リード罫３３Ａが形成されている。この第１リード罫３３Ａは例えば１０ｍｍの切込みを１０ｍｍ間隔で入れたものとしてよい。これにより、第１リード罫３３Ａは折れ曲がりやすくなるとともに、第１リード罫３３Ａの下端部分等については破断可能となっている。
【００３１】
そして、第１リード罫３３Ａの上端（組み立てた状態における上端）には、第２切欠き部３３Ｂが形成される。上述したように、第２切欠き部３３Ｂには、組立式椅子１を組み立てた状態において、差込部１２Ｂの第１切欠き部１３が係合する。
また、第３側板３３の下方には、斜めに延在する折曲げ部４１が形成される。
折曲げ部４１の前端（すなわち第１側板３１に近い側の端部）は、第３側板３３の下端と交差し、折曲げ部４１の後端（すなわち第２側板３２に近い側の端部）は第３側板３３と第２側板３２の境界と交差する。
【００３２】
ここで、第１リード罫３３Ａのうち折曲げ部４１より下方の部分を破断するとともに、第２リード罫４２を破断することで、第３側板３３のうち折曲げ部４１より下方の部分は内側に折り曲げやすくなる。なお、第３側板３３のうち折曲げ部４１より下方であって、第１リード罫３３Ａよりも前方側の部分を第１折曲げ領域３６Ａ、第１リード罫３３Ａよりも後方側の部分を第２折曲げ領域３６Ｂとする。
【００３３】
このように、折曲げ部４１に沿った折り曲げをしない場合には、第３側板３３の上端と下端とは平行となり、折曲げ部４１に沿った折り曲げをした場合には、第３側板３３の下端は、前方から後方にかけて斜め上側に傾斜するようになる。
【００３４】
第４側板３４は、左側面を構成し、展開状態において第２側板３２と連結している。第４側板３４と、第２側板３２との境界には罫線４０が形成され、折り曲げ可能となっている。
また、第４側板３４の中央部には上下方向に第１リード罫３４Ａが形成されている。この第１リード罫３４Ａは例えば１０ｍｍの切込みを１０ｍｍ間隔で入れたものとしてよい。これにより、第１リード罫３４Ａの箇所で折れ曲がりが容易となるとともに、第１リード罫３４Ａの下端部分等については破断可能となっている。
【００３５】
そして、第１リード罫３４Ａの上端（組み立てた状態における上端）には、第２切欠き部３４Ｂが形成されている。上述したように、第２切欠き部３４Ｂには、組立式椅子１を組み立てた状態において、差込部１２Ｂの第１切欠き部１３が係合する。
また、第４側板３４の下方には、斜めに延在する折曲げ部４１が形成される。
第４側板３４における折曲げ部４１の前端（すなわち第２側板３２から遠い側の端部）は、第４側板３４の下端と交差し、折曲げ部４１の後端（すなわち第２側板３２に近い側の端部）は第４側板３４と第２側板３２の境界と交差する。
【００３６】
ここで、第１リード罫３４Ａのうち折曲げ部４１より下方の部分を破断するとともに、第２リード罫４２を破断することで、第４側板３４のうち折曲げ部４１より下方の部分が内側に折り曲げやすくなる。なお、第４側板３４のうち折曲げ部４１より下方であって、第１リード罫３４Ａよりも前方側の部分を第３折曲げ領域３６Ｃ、第１リード罫３４Ａよりも後方側の部分を第４折曲げ領域３６Ｄとする。
【００３７】
このように、折曲げ部４１に沿った折り曲げをしない場合には、第４側板３４の上端と下端とは平行となり、折曲げ部４１に沿った折り曲げをした場合には、第４側板３４の下端は、前方から後方にかけて斜め上側に傾斜するようになる。
なお、折曲げ部４１に沿った折り曲げをした場合の、第３側板３３の下端と、第４側板３４の下端との傾斜角は同一とする。これにより、折曲げ部４１に沿った折り曲げをした場合に、座面部１０が左右方向に傾くことを抑制できる。
【００３８】
次に、底部２０の構成について説明する。
図２に示されるように、底部２０は、第１底板２１及び第２底板２２を有する。
第１底板２１は、第１側板３１と連結し、第１底板２１と第１側板３１との境界には罫線４０が形成され、折り曲げ可能となっている。
また、第２底板２２は、第２側板３２と連結し、第２底板２２と第２側板３２との境界には罫線４０が形成され、折り曲げ可能となっている。
【００３９】
＜平地設置用の組立式椅子１の組立工程＞
次に、図１乃至図４を参照しながら、平地設置用の組立式椅子１の組立工程について説明する。
【００４０】
まず、図２に示される組立式椅子１の糊代部３５を第４側板３４に接着することにより、図３に示されるように、側部３０を枠状に構成する。この場合においては、第３側板３３を第１リード罫３３Ａにおいて折り曲げ、また、第４側板３４を第１リード罫３４Ａにおいて折り曲げることで、組立式椅子１をコンパクトに折り畳むことが可能となる。
【００４１】
そして、平地設置用の組立式椅子１を組み立てる場合には、図４に示されるように、第２天板１２の差込部１２Ｂに形成された第１切欠き部１３と、第３側板３３と第４側板３４にそれぞれ形成された第２切欠き部３３Ｂと第２切欠き部３４Ｂとを係合させる。
このとき、図４に示されるように、第３側板３３は第１リード罫３３Ａにおいて内側に折れ曲がる。同様に、第４側板３４は第１リード罫３４Ａにおいて内側に折れ曲がる。これにより、支持面１２Ａは、左右の端部だけでなく、中央に向けても第３側板３３及び第４側板３４の上端により支持されるようになる。これにより、着座者の坐骨結節の下方に第３側板３３及び第４側板３４を配置できるため、着座者の荷重を第３側板３３及び第４側板３４により垂直に支持可能となる。
【００４２】
次に、第１天板１１の座面１１Ａを、支持面１２Ａの上に配置するとともに、第１天板１１の差込部１１Ｂを穴部１５に差し込む。これにより、図１に示す組立式椅子１が完成する。
上述したように、座面部１０は、前方着座部１６に対して後方着座部１７を第１天板１１と第２天板１２の二重構造により強度を向上できる。さらに、上述したように、後方着座部１７では、着座者の坐骨結節の下方に第３側板３３及び第４側板３４を垂直に配置可能であるため、耐荷重性能を向上することができる。
【００４３】
図５には、上記の工程で組み立てた平地設置用の組立式椅子１を、平地部Ｇ１に設置した状態の組立式椅子１の側面図を示した。図５に示されるように、平地設置用の組立式椅子１では、側部３０の上端及び下端が平行となっている。そのため側部３０の上端により支持される座面部１０も、側部３０の下端に対して平行となる。すなわち、組立式椅子１では、折曲げ部４１における折り曲げを行わない状態においては、平地部Ｇ１に対して座面１１Ａを水平に配置できる。これにより、平地部Ｇ１に対応した組立式椅子１を実現できる。
【００４４】
＜傾斜地設置用の組立式椅子１の組立工程＞
次に、図６乃至図８を参照しながら、傾斜地に設置する場合の組立式椅子１の構成及び組立工程について説明する。
傾斜地設置用の組立式椅子１を組み立てる場合には、図６に示すように、図３に示す状態の組立式椅子１を上下に回転させて、底部２０を上側とする。次に、折曲げ部４１に沿って、第２側板３２、第３側板３３、第４側板３４を内側に折り曲げる。この際、第２リード罫４２を破断して破断部４３とし、第５折曲げ領域３６Ｅと、第２折曲げ領域３６Ｂ及び第４折曲げ領域３６Ｄとを切り離す。
また、第１折曲げ領域３６Ａと第２折曲げ領域３６Ｂ、第３折曲げ領域３６Ｃと第４折曲げ領域３６Ｄについてもそれぞれ第１リード罫３３Ａ及び第１リード罫３４Ａに沿って切り離す。ここで、第１リード罫３３Ａと第１リード罫３４Ａのうち、切り離される箇所を破断部４４とする。
【００４５】
次に、底部２０を再び下側となるように回転させて、平地設置用の組立式椅子１の組み立てと同様の手順で座面部１０を組み立てる。すなわち、図６による工程以後は、図３、図４、図１に示す流れで同様に作業可能であるためここでの説明は省略する。
以上の作業により、図７に示す傾斜地設置用の組立式椅子１が完成する。
なお、以上に説明した工程では、折曲げ部４１を折り曲げてから座面部１０を組み立てることとしたが、座面部１０を組み立ててから折曲げ部４１を折り曲げるようにしても構わない。
【００４６】
図８には、上記の工程で組み立てた傾斜地設置用の組立式椅子１を、傾斜部Ｇ２に設置した状態の組立式椅子１の側面図を示した。図８に示されるように、傾斜地設置用の組立式椅子１では、側部３０の上端に対して下端が前方から後方にかけて斜め上側に傾斜している。例えば傾斜部Ｇ２の傾斜角θと、側部３０の傾斜角が略等しい場合には、組立式椅子１の座面１１Ａは略水平に配置される。
すなわち、折曲げ部４１における折り曲げを行うことで、傾斜部Ｇ２に対して組立式椅子１を接地した場合に、座面１１Ａを略水平に近付けるように配置できる。これにより、傾斜部Ｇ２に対応した組立式椅子１を実現できる。
すなわち、組立式椅子１によれば、折曲げ部４１における折り曲げを行わない場合には、平地部Ｇ１に対応した状態となり、折曲げ部４１における折り曲げを行うことで傾斜部Ｇ２に対応した状態とすることができる。これにより、組立式椅子１は平地と傾斜地のいずれにも対応することができる。
【００４７】
＜まとめ＞
本実施形態に係る組立式椅子１は、板状体を組み立てることで構成される。組立式椅子１は、着座可能な座面部１０と、座面部１０を支持する側部３０と、を備える。側部３０は、地面に当接する下端が前後方向に傾斜するように折り曲げ可能な折曲げ部４１を有する。
組立式椅子１は、平地と傾斜地のいずれにおいても座面が水平に近づくように変形可能である。すなわち、組立式椅子１は、平地と傾斜地のいずれにおいても使用することができる。
【００４８】
組立式椅子１では、側部３０は、前方に配される第１側板３１と、後方に配される第２側板３２と、左右に配される第３側板３３及び第４側板３４と、を有する。折曲げ部４１は、第２側板３２、第３側板３３及び第４側板３４に形成される。
こうすることで、組立式椅子１を傾斜地で利用する場合に、座面から地面への高さを確保することができる。これにより、傾斜地における座りやすさを確保できる。
【００４９】
組立式椅子１では、座面部１０は、最上部に配される第１天板１１と、第１天板１１の下方に配され、第１天板１１の一部を支持する第２天板１２と、を有する。
こうすることで、座面部１０の一部を二重構造とすることができる。これにより、座面部１０の強度を向上できる。
【００５０】
組立式椅子１では、第２天板１２は、座面部１０のうち第２側板３２に近い後方側に設けられる。
こうすることで、座面部１０のうち着座者の臀部を支持する後方側の強度を向上できる。これにより、座面部１０のうち荷重が掛かる部分の強度を向上できる。
また、上記の構成によれば、座面部１０の撓みを抑制できるため、長時間の着座においても疲労しにくくなる。また、座面部１０の変形を抑制できるため、着座感も良好になる。
【００５１】
組立式椅子１では、第２天板１２は、先端に形成される第１切欠き部１３を有する。第３側板３３と第４側板３４はそれぞれ、前後方向の中央部において、上下方向に形成された第１リード罫３３Ａ及び第１リード罫３４Ａと、第１リード罫３３Ａ及び第１リード罫３４Ａの上端に形成された第２切欠き部３３Ｂ及び第２切欠き部３４Ｂと、を有する。第１切欠き部１３と第２切欠き部３３Ｂ、第２切欠き部３４Ｂとが係合して、第２天板１２が第３側板３３と第４側板３４に対して組み付けられる。
こうすることで、側部３０が座面部１０の左右の端部のみを支持する場合に比べて、座面部１０のより広い範囲を側部３０により支持できる。これにより、組立式椅子１の耐荷重性能を向上できる。
【００５２】
組立式椅子１では、少なくとも折曲げ部４１より下方において、第２側板３２及び第３側板３３と、第２側板３２及び第４側板３４とのそれぞれの間に形成される第２リード罫４２を有する。第１リード罫３３Ａ、第１リード罫３４Ａと第２リード罫４２はそれぞれ破断可能である。
こうすることで、折曲げ部４１を折り曲げやすくなる。これにより、折曲げ部４１を折り曲げる作業の負荷を軽減できる。
【００５３】
組立式椅子１では、第２天板１２と第２側板３２との間に形成された穴部１５を備え、第１天板１１は、穴部１５に挿通される差込部１１Ｂを有する。
こうすることで、第１天板１１の位置ずれを抑制できる。これにより、座面部１０の安定性を向上できる。
【００５４】
組立式椅子１では、折曲げ部４１を折り曲げない状態において、側部３０の上端と下端は平行である。
こうすることで、平地において座面１１Ａを水平とすることができる。これにより、着座者が平地において負担のない着座姿勢を取ることが可能となる。
【００５５】
組立式椅子１では、板状体は、一枚の紙製部材からなる。
こうすることで、組立式椅子１を軽量化できる。これにより、組立式椅子１の携帯性を向上できる。
【００５６】
＜その他の実施形態＞
本発明は上記の実施形態に限定されるものではない。
以下、図９を参照しながら、上記実施形態の変形例に係る組立式椅子１について説明する。図９に示されるように、変形例に係る組立式椅子１では、第３側板３３と第４側板３４のそれぞれの上部に天板支持部３７を設けた。また、第２底板２２及び第５折曲げ領域３６Ｅに対して二つの第３リード罫２３を設けた。一方の第３リード罫２３は、第２底板２２の下辺から、第２側板３２と第３側板３３との境界である罫線４０と、折曲げ部４１との交点を連結するように形成される。また、もう一方の第３リード罫２３は、第２底板２２の下辺から、第２側板３２と第４側板３４との境界である罫線４０と、折曲げ部４１との交点を連結するように形成される。
【００５７】
変形例に係る組立式椅子１では、天板支持部３７により第１天板１１と第２天板１２のそれぞれの左右の端部を支持することができる。これにより、座面部１０の強度を向上できる。
また、変形例に係る組立式椅子１では、第２底板２２に第３リード罫２３を形成したことにより第２底板２２を内側に折り曲げやすくなる。これにより、折曲げ部４１において傾斜対応脚部３６をシート内側に折り曲げる作業を簡単に行うことが可能となる。
また、変形例に係る組立式椅子１では、先に座面部１０を組み立てた後に、傾斜対応脚部３６を内側に折り曲げることが容易となる。すなわち、座面部１０を組み立てた状態で、傾斜対応脚部３６のうち左右に位置する第１折曲げ領域３６Ａ、第２折曲げ領域３６Ｂ、第３折曲げ領域３６Ｃ、第４折曲げ領域３６Ｄを内側に折り曲げ、その後に第２底板２２を内側に押し込むと、第３リード罫２３により第２底板２２及び第５折曲げ領域３６Ｅが内側に容易に折れ曲がる。そのため、変形例に係る組立式椅子１によれば、座面部１０を組み立てた状態で傾斜対応脚部３６を内側に折り曲げる作業が容易となる。
【００５８】
例えば、組立式椅子１の座面部１０、側部３０等に文字や画像を印刷してもよい。この際、野外イベントのイベント情報や、座席情報を組立式椅子１に印刷することにより、組立式椅子１をイベントのチケットとして用いることとしてもよい。
【００５９】
また、組立式椅子１は紙製としたが、樹脂等の他の材料を用いて形成してもよい。
また、組立式椅子１は、花火大会、野外コンサート等の野外イベントにおいて好適に使用することができるが、組立式椅子１は野外イベントに限られず室内においても好適に使用可能である。
【符号の説明】
【００６０】
１  組立式椅子
１０  座面部
１１  第１天板
１１Ａ  座面
１１Ｂ  差込部
１１Ｃ  罫線
１２  第２天板
１２Ａ  支持面
１２Ｂ  差込部
１２Ｃ  罫線
１３  第１切欠き部
１５  穴部
１６  前方着座部
１７  後方着座部
２０  底部
２１  第１底板
２２  第２底板
２３  第３リード罫
３０  側部
３１  第１側板
３２  第２側板
３３  第３側板
３３Ａ  第１リード罫
３３Ｂ  第２切欠き部
３４  第４側板
３４Ａ  第１リード罫
３４Ｂ  第２切欠き部
３５  糊代部
３６  傾斜対応脚部
３６Ａ  第１折曲げ領域
３６Ｂ  第２折曲げ領域
３６Ｃ  第３折曲げ領域
３６Ｄ  第４折曲げ領域
３６Ｅ  第５折曲げ領域
３７  天板支持部
４０  罫線
４１  折曲げ部
４２  第２リード罫
４３  破断部
４４  破断部
Ｇ１  平地部
Ｇ２  傾斜部
【図１】
2019083889.tif 000003
【図２】
2019083889.tif 000004
【図３】
2019083889.tif 000005
【図４】
2019083889.tif 000006
【図５】
2019083889.tif 000007
【図６】
2019083889.tif 000008
【図７】
2019083889.tif 000009
【図８】
2019083889.tif 000010
【図９】
2019083889.tif 000011